(57)【特許請求の範囲】
【請求項１】
コントローラ、ソースプレート及び目標プレートを備え、前記コントローラは前記ソースプレート、前記目標プレートに通信接続され、前記ソースプレートと前記目標プレートとは光ファイバによって非対称で単一方向に接続され、
ネットワークマネージャを更に備え、
前記ネットワークマネージャは、ソースプレート情報、目標プレート情報及び光ファイバ接続関係に基づき、ソースプレートと目標プレートの対応関係を生成して、且つ前記ソースプレートと目標プレートの対応関係を前記コントローラに送信して記憶するように設定され、
或いは、
前記ネットワークマネージャは、ソースプレート情報、目標プレート情報及び光ファイバ接続関係を前記コントローラに送信するように設定され、対応的に、前記コントローラは更に、前記ソースプレート情報、前記目標プレート情報及び前記光ファイバ接続関係に基づき、ソースプレートと目標プレートの対応関係を生成するように設定され、
前記目標プレートは、光信号異常を検出した際に、目標プレート情報を含む通信異常メッセージをコントローラに送信するように設定され、
前記コントローラは、前記対応関係における前記目標プレート情報に基づき対応するソースプレート情報を見つけ、且つ前記ソースプレート情報に基づき第1制御命令を前記ソースプレートに送信するように設定され、
前記ソースプレートは、受信した第1制御命令に基づき前記光信号の出力電力を低減するように設定される光パワー低減APR保護装置。
【請求項２】
前記ソースプレートと前記目標プレートとは同一のサイト内にある請求項1に記載の装置。
【請求項３】
前記コントローラは更に、前記ソースプレートと前記目標プレートの対応関係を記憶するように設定される請求項2に記載の装置。
【請求項４】
前記ネットワークマネージャは更に、ソースプレートと目標プレートの対応関係を生成する前、或いは前記コントローラにソースプレート情報、目標プレート情報及び光ファイバ接続関係を送信する前に、ユーザが入力したソースプレート情報、目標プレート情報及び光ファイバ接続関係を受信するように設定される請求項1に記載の装置。
【請求項５】
前記目標プレートは、光信号異常が予め設定された時間閾値を超えることを検出した際に、目標プレート情報を含む通信異常メッセージをコントローラに送信するように設定される請求項1〜4のいずれか一項に記載の装置。
【請求項６】
前記コントローラは更に、前記ソースプレートが前記光信号の出力電力を低減した後に、第3制御命令を前記ソースプレートに送信し、前記目標プレートが送信した目標プレート情報を含む通信正常メッセージを受信し、且つ前記目標プレート情報に基づき対応するソースプレート情報を見つけ、前記ソースプレート情報に基づき第2制御命令を前記ソースプレートに送信するように設定され、
前記目標プレートは更に、前記ソースプレートが送信した再起動パルス信号を受信した後に、目標プレート情報を含む通信正常メッセージをコントローラに送信するように設定され、
前記ソースプレートは更に、前記コントローラが送信した第3制御命令を受信した後に、再起動パルス信号を前記目標プレートに送信して、且つ前記コントローラが送信した第2制御命令を受信した後に、正常に光信号を出力するように設定される請求項1〜4のいずれか一項に記載の装置。
【請求項７】
前記プレート情報は、プレートアドレス及び/又はプレートポートを含む請求項1〜4のいずれか一項に記載の装置。
【請求項８】
ネットワークマネージャはソースプレート情報、目標プレート情報及び光ファイバ接続関係に基づき、ソースプレートと目標プレートの対応関係を生成して、且つ前記ソースプレートと目標プレートの対応関係を前記コントローラに送信し、或いは、ネットワークマネージャはソースプレート情報、目標プレート情報及び光ファイバ接続関係を前記コントローラに送信し、前記コントローラは前記ソースプレート情報、前記目標プレート情報及び前記光ファイバ接続関係に基づき、ソースプレートと目標プレートの対応関係を生成するステップと、
目標プレートは光信号異常を検出した際に、目標プレート情報を含む通信異常メッセージをコントローラに送信するステップと、
前記コントローラは前記対応関係における前記目標プレート情報に基づき対応するソースプレート情報を見つけ、且つ前記ソースプレート情報に基づき第1制御命令を前記ソースプレートに送信するステップと、
前記ソースプレートは受信した第1制御命令に基づき前記光信号の出力電力を低減するステップと、を含むAPR保護方法。
【請求項９】
前記目標プレートが目標プレート情報を含む通知メッセージをコントローラに送信する前に、前記方法は、
前記コントローラは前記ソースプレートと前記目標プレートの対応関係を記憶するステップを更に含む請求項8に記載の方法。
【請求項１０】
前記ネットワークマネージャがソースプレートと目標プレートの対応関係を生成する前、或いは前記ネットワークマネージャがソースプレート情報、目標プレート情報及び光ファイバ接続関係を前記コントローラに送信する前に、前記方法は、
前記ネットワークマネージャはユーザが入力したソースプレート情報、目標プレート情報及び光ファイバ接続関係を受信するステップを更に含む請求項8に記載の方法。
【請求項１１】
前記目標プレートが光信号異常を検出することは、
前記目標プレートは光信号異常が予め設定された時間閾値を超えることを検出したことを含む請求項8〜10のいずれか一項に記載の方法。
【請求項１２】
前記ソースプレートが前記光信号の出力電力を低減した後に、前記方法は、
前記コントローラは第3制御命令を前記ソースプレートに送信するステップと、
前記ソースプレートは再起動パルス信号を前記目標プレートに送信するステップと、
前記目標プレートは目標プレート情報を含む通信正常メッセージをコントローラに送信するステップと、
前記コントローラは前記目標プレート情報に基づき対応するソースプレート情報を見つけるステップと、
前記コントローラは前記ソースプレート情報に基づき第2制御命令を前記ソースプレートに送信するステップと、
前記ソースプレートは正常に光信号を出力するステップと、を更に含む請求項8〜10のいずれか一項に記載の方法。
【請求項１３】
前記プレート情報はプレートアドレス及び/又はプレートポートを含む請求項8〜10のいずれか一項に記載の方法。
【請求項１４】
コンピュータ実行可能な命令が記憶され、前記コンピュータ実行可能な命令は前記請求項8〜10のいずれか一項に記載の方法を実行することに用いられるコンピュータ記憶媒体。
【発明の詳細な説明】
【技術分野】
【０００１】
本発明は光通信技術に関し、特に光パワー低減(Automatic Power Reduction、APR)保護方法及び装置、コンピュータ記憶媒体に関する。
【背景技術】
【０００２】
光ファイバ通信システムにおいて、光ファイバ破断、光ファイバコネクタの抜き出し等の異常状況が存在し、いずれも光パワーの損失を引き起こす恐れがある。人の目の安全から考えると、主光路の1つの光伝送セクションで光パワーが損失する場合に、システムには自動APRプロセスを提供する必要がある。一般的に、全ての主光路の光信号が全部損失したことを検出した際に、光伝送ネットワーク(Optical Transport Network、OTN)システムはAPRプロセスを起動して、影響を受けた光伝送セクション(Optical Transport Section、OTS)内の全ての増幅器を閉め、光信号が回復した場合、再び光回線増幅器(Line Amplifier、LA)の作動を回復させる。このように、閉める場合に、光ファイバにおける光パワーが安全レベル要求内であることを確保することができる。
【０００３】
図1は従来のAPRプロセスの模式図であり、図1に示すように、従来技術のAPRプロセスは西サイトと東サイトの間でLAからなる通信経路に設定され、従来のAPRプロセスの非アクティブ化原理は以下の通りであり、A点光ファイバが破断した後に、受信ポートR2でOTSセクション内に信号が連続的に損失することを検出すると、送信ポートT2での出力電力を低減させ、このように、また受信ポートR1でのOTSセクション内の信号の連続的な損失を引き起こし、それにより送信ポートT1での出力電力を低減させる。このように、故障があるA点が所在するOTSセクション内の光パワーをいずれも安全レベルにさせることを確保できる。従来のAPRプロセスのアクティブ化原理は以下の通りであり、送信ポートT1で再起動パルス信号を送信し、受信ポートR2で再起動パルス信号を受信した後に、再起動パルスパワー電力レベルに類似する光信号を送信し、受信ポートR1で再起動パルスパワー電力レベルに類似する光信号を受信した後に、送信ポートT1で再起動パルス信号を送信しなくなり、正常に光信号を送信する。
【０００４】
西サイト又は東サイト内の非主光路は同様に光増幅器(Optical Amplifier、OA)が存在し、同様に光ファイバの破断、光ファイバコネクタの抜き出し等の異常状況が存在し、エンジニアがサイト内の非主光路の光ファイバを修復する際に、或いはテスターがサイト内非主光路の光ファイバコネクタの抜き差しテスト操作を行う際に、同様に人の目に潜在的な脅威が存在する。サイト内で光増幅器からなる経路は非対称で且つ単一方向である可能性があり、シングルエンドAPRプロセスのアクティブ化と非アクティブ化のみを行うが、従来のITU-TG.664標準において、主光路OTS層のサイト間でLAからなる双方向対称経路のAPRプロセスのみを限定し、サイト内で非対称且つ単一方向経路のAPRプロセスのアクティブ化と非アクティブ化処理要求を満たすことができない。
【発明の概要】
【発明が解決しようとする課題】
【０００５】
これを鑑みて、本発明の実施例は光パワー低減APR保護方法及び装置、コンピュータ記憶媒体を提供することが望ましく、従来技術においてサイト内で非対称且つ単一方向経路のAPRプロセスのアクティブ化と非アクティブ化処理要求を満たすことができない問題を解決することができる。
【課題を解決するための手段】
【０００６】
本発明の実施例の技術的解決手段はこのように実現される。
本発明の実施例は光パワー低減APR保護装置を提供し、前記装置は、コントローラ、ソースプレート及び目標プレートを備え、前記コントローラは前記ソースプレート、前記目標プレートに通信接続され、前記ソースプレートと前記目標プレートとは光ファイバによって非対称で単一方向に接続され、
前記目標プレートは、光信号の異常を検出した際に、目標プレート情報を含む通信異常メッセージをコントローラに送信するように設定され、
前記コントローラは、前記目標プレート情報に基づき対応するソースプレート情報を見つけ、且つ前記ソースプレート情報に基づき第1制御命令を前記ソースプレートに送信するように設定され、
前記ソースプレートは、受信した第1制御命令に基づき前記光信号の出力電力を低減するように設定される。
【０００７】
本発明の一具体的な実施例において、前記ソースプレートと前記目標プレートとは同一のサイト内にある。
【０００８】
本発明の一具体的な実施例において、前記コントローラは更に、前記ソースプレートと前記目標プレートの対応関係を記憶するように設定される。
【０００９】
本発明の一具体的な実施例において、前記装置はネットワークマネージャを更に備え、ネットワークマネージャは、ソースプレート情報、目標プレート情報及び光ファイバ接続関係に基づきソースプレートと目標プレートの対応関係を生成して、且つ前記ソースプレートと目標プレートの対応関係を前記コントローラに送信して記憶するように設定され、或いは、前記ネットワークマネージャは、ソースプレート情報、目標プレート情報及び光ファイバ接続関係を前記コントローラに送信するように設定され、対応的に、前記コントローラは更に、前記ソースプレート情報、前記目標プレート情報及び前記光ファイバ接続関係に基づき、ソースプレートと目標プレートの対応関係を生成するように設定される。
【００１０】
本発明の一具体的な実施例において、前記ネットワークマネージャは更に、ソースプレートと目標プレートの対応関係を生成する前に、或いは前記コントローラにソースプレート情報、目標プレート情報及び光ファイバの接続関係を送信する前に、ユーザが入力したソースプレート情報、目標プレート情報及び光ファイバの接続関係を受信するように設定される。
【００１１】
本発明の一具体的な実施例において、前記目標プレートは、光信号異常が予め設定された時間閾値を超えることを検出するように設定される。
【００１２】
本発明の一具体的な実施例において、前記コントローラは更に、前記ソースプレートが前記光信号の出力電力を低減した後に、第3制御命令を前記ソースプレートに送信し、前記目標プレートが送信した目標プレート情報を含む通信正常メッセージを受信し、且つ前記目標プレート情報に基づき対応するソースプレート情報を見つけ、前記ソースプレート情報に基づき第2制御命令を前記ソースプレートに送信するように設定され、
前記目標プレートは更に、前記ソースプレートが送信した再起動パルス信号を受信した後に、目標プレート情報を含む通信正常メッセージをコントローラに送信するように設定され、
前記ソースプレートは更に、前記コントローラが送信した第3制御命令を受信した後に、再起動パルス信号を前記目標プレートに送信し、且つ前記コントローラが送信した第2制御命令を受信した後に、正常に光信号を出力するように設定される。
【００１３】
本発明の一具体的な実施例において、前記プレート情報はプレートアドレス及び/又はプレートポートを含む。
【００１４】
本発明の実施例はAPR保護方法を更に提供し、前記方法は、
目標プレートは光信号異常を検出した際に、目標プレート情報を含む通信異常メッセージをコントローラに送信するステップ、
前記コントローラは前記目標プレート情報に基づき対応するソースプレート情報を見つけ、且つ前記ソースプレート情報に基づき第1制御命令を前記ソースプレートに送信するステップ、及び
前記ソースプレートは受信した第1制御命令に基づき前記光信号の出力電力を低減するステップを含む。
【００１５】
本発明の一具体的な実施例において、前記目標プレートは目標プレート情報を含む通知メッセージをコントローラに送信する前に、前記方法は、
前記コントローラは前記ソースプレートと前記目標プレートの対応関係を記憶するステップを更に含む。
【００１６】
本発明の一具体的な実施例において、前記コントローラは前記ソースプレートと前記目標プレートの対応関係を記憶する前に、前記方法は、
ネットワークマネージャはソースプレート情報、目標プレート情報及び光ファイバ接続関係に基づき、ソースプレートと目標プレートの対応関係を生成して、且つ前記ソースプレートと目標プレートの対応関係を前記コントローラに送信するステップ、
或いは、
ネットワークマネージャはソースプレート情報、目標プレート情報及び光ファイバ接続関係を前記コントローラに送信するステップ、
前記コントローラは前記ソースプレート情報、前記目標プレート情報及び前記光ファイバ接続関係に基づき、ソースプレートと目標プレートの対応関係を生成するステップを更に含む。
【００１７】
本発明の一具体的な実施例において、前記ネットワークマネージャがソースプレートと目標プレートの対応関係を生成する前、或いは前記ネットワークマネージャがソースプレート情報、目標プレート情報及び光ファイバ接続関係を前記コントローラに送信する前に、前記方法は、
前記ネットワークマネージャはユーザが入力したソースプレート情報、目標プレート情報及び光ファイバの接続関係を受信するステップを更に含む。
【００１８】
本発明の一具体的な実施例において、前記目標プレートが光信号異常を検出することは、
前記目標プレートは光信号異常が予め設定された時間閾値を超えることを検出したことを含む。
【００１９】
本発明の一具体的な実施例において、前記ソースプレートが前記光信号の出力電力を低減した後に、前記方法は、
前記コントローラは第3制御命令を前記ソースプレートに送信するステップ、
前記ソースプレートは再起動パルス信号を前記目標プレートに送信するステップ、
前記目標プレートは目標プレート情報を含む通信正常メッセージをコントローラに送信するステップ、
前記コントローラは前記目標プレート情報に基づき対応するソースプレート情報を見つけるステップ、
前記コントローラは前記ソースプレート情報に基づき第2制御命令を前記ソースプレートに送信するステップ、及び
前記ソースプレートは正常に光信号を出力するステップを含む。
【００２０】
本発明の一具体的な実施例において、前記プレート情報はプレートアドレス及び/又はプレートポートを含む。
【００２１】
本発明の実施例はコンピュータ記憶媒体を更に提供し、コンピュータ実行可能な命令が記憶され、前記コンピュータ実行可能な命令は上記の方法を実行することに用いられる。
【発明の効果】
【００２２】
本発明の実施例によるAPR保護方法及び装置、コンピュータ記憶媒体によると、目標プレートは光信号異常を検出した際に、目標プレート情報を含む通信異常メッセージをコントローラに送信し、前記コントローラは前記目標プレート情報に基づき対応するソースプレート情報を見つけ、且つ前記ソースプレート情報に基づき第1制御命令を前記ソースプレートに送信し、ソースプレートが前記光信号の出力電力を低減するように指示する。このように、本発明の実施例はサイト内で非対称且つ単一方向経路のシングルエンドAPRプロセスのアクティブ化と非アクティブ化の処理要求を満たすことができ、それによりエンジニアがサイト内の非主光路の光ファイバを修復する際に、或いはテスターはサイト内非主光路の光ファイバコネクタの抜き差しテスト操作を行う際に、サイト内で光ファイバの破断、光ファイバコネクタの抜き出し等の異常状況の発生によって人の目にもたらした傷害を避けることができる。
【図面の簡単な説明】
【００２３】
【図１】図1は従来のAPRプロセスの模式図である。
【図２】図2は本発明の実施例によるAPRプロセスの模式図である。
【図３】図3は本発明の実施例によるAPR保護装置の構造模式図である。
【図４】図4は本発明の実施例による光信号が異常である際に、APR保護方法の基本的な処理フローを示す模式図である。
【図５】図5は本発明の実施例による光信号が異常である際に、APR保護方法の詳細的な処理フローを示す模式図である。
【図６】図6は本発明の実施例による異常を修復した後にAPR保護方法の処理フローを示す模式図である。
【発明を実施するための形態】
【００２４】
なお、図1に示すように、従来技術のAPRプロセスは西サイトと東サイトの間の経路に設定され、本発明の実施例は西サイト又は東サイト内の経路に対して提出し、図2は本発明の実施例によるARPプロセスの模式図であり、図2に示すように、シングルプレートOAとシングルプレートXとはいずれも同一のサイト内の通信機器であり、ここのシングルプレートXはサイト内で入光パワーに対して厳格な要求を有する通信機器の総称である。
【００２５】
図3は本発明の実施例によるAPR保護装置の構造模式図であり、図3に示すように、該APR保護装置はコントローラ13、ソースプレート11及び目標プレート12を備え、
前記コントローラ13は前記ソースプレート11、前記目標プレート12に通信接続され、前記ソースプレートと前記目標プレートとは光ファイバによって非対称で単一方向に接続され、
なお、前記ソースプレート11は以上で言及したLAであってもよいし、OAであってもよく、前記目標プレート12は前記ソースプレート11の下流に接続されるシングルプレートである。
【００２６】
前記コントローラ13は通信バスによって前記ソースプレート11、前記目標プレート12に接続され、前記コントローラ13が、前記ソースプレート11、前記目標プレート12とに使用される通信プロトコルは、パケット損失率が0.01％より小さく、且つ単一のメッセージアップダウンリンクの通信応答時間は10msより小さい条件を満たし、例えば、TCP通信プロトコル、UDP通信プロトコル又は上記条件を満たす独自の通信プロトコルを使用し、このように、APRプロセスのアクティブ化と非アクティブ化の時間が長過ぎることがないのを確保する。
【００２７】
前記目標プレート12は、光信号異常を検出して、目標プレート情報を含む通信異常メッセージをコントローラに送信するように設定され、
光信号異常は光ファイバ破断、光ファイバコネクタの抜き出し又は仮想接続による光信号損失又は光信号損失による弱め等の異常現象を含む。
【００２８】
具体的に、前記目標プレート12は光信号を受信した後に、前記光信号の光パワーは正常通信時に受信された信号の光パワーより小さいか否かを判断し、小さいと、前記目標プレート12が受信した光信号は異常であることを確定し、更に前記ソースプレート11と前記目標プレート12の間の通信経路が異常であると確定すると、前記目標プレートは異常を検出した後に、直ちに目標プレート情報を含む通信異常メッセージをコントローラ13に送信し、或いは、光信号異常が予め設定された時間閾値例えば500msを超えることを検出した後に、再び目標プレート情報を含む通信異常メッセージをコントローラ13に送信し、目標プレート情報は目標プレートアドレス及び/又は目標プレートポートを含む。
【００２９】
前記コントローラ13は、前記目標プレート12情報に基づき対応するソースプレート情報を見つけ、且つ前記ソースプレート情報11に基づき第1制御命令を前記ソースプレートに送信するように設定され、
具体的に、前記コントローラ13は前記ソースプレート11と前記目標プレート12の対応関係を予め記憶し、前記ソースプレート情報はソースプレートアドレス及び/又は目標プレートポートを含む。
【００３０】
なお、前記コントローラ13がソースプレート情報と目標プレート情報を管理するのに便利であるために、ソースプレート情報と目標プレート情報とは同一の標準を使用するほうがよく、即ち、ソースプレート情報と目標プレート情報にプレートアドレスのみを含み、又はプレートポートのみを含み、又はプレートアドレスとプレートポートを同時に含むものを採用する。具体的に、前記ソースプレート11と前記目標プレート12の対応関係が表1に示すような任意の1種を採用することができる。
【表１】
0006388674.tif 000002
なお、本発明の実施例は第3種の方式を採用して実現するのを好ましい。
【００３１】
前記コントローラ13はリンクリスト又はツリー構造の形式を使用してソースプレートと目標プレートの間との対応する接続関係を保存することができ、ソースプレート情報と目標プレート情報はいずれもプレートアドレスとプレートポートを含むことを例とし、各リンクリスト又はツリーのノード内容はソースプレートアドレス、ソースプレートポート、目標プレートアドレス及び目標プレートポートという4つの内容を含む。
【００３２】
前記コントローラ13は上記の前記ソースプレート11と前記目標プレート12の対応関係及び前記目標プレートが送信した目標プレート情報を含む通信異常メッセージに基づき、対応するソースプレート情報を見つけ、且つ前記ソースプレート情報に基づき対応するソースプレート11を見つけ、第1制御命令を前記ソースプレート11に送信し、
ここで、第1制御命令は前記ソースプレート11が前記光信号の出力電力を低減するように指示するためのものであり、前記ソースプレート11は前記第1制御命令を受信した後に、前記光信号の出力電力を低減する。
【００３３】
なお、コントローラ13が前後に送信した2つの異なる機能の制御命令を区分するために、コントローラ13が先に送信した制御命令を第1制御命令と呼び、コントローラ13が後に送信した制御命令を第2制御命令と呼ぶことができ、これによって類推して区分する。
【００３４】
前記ソースプレートは、受信した第1制御命令に基づき前記光信号の出力電力を低減するように設定される。
【００３５】
本発明の実施例は目標プレートによって光信号の異常を検出して、且つ目標プレート情報を含む通信異常メッセージをコントローラに送信し、コントローラは前記目標プレート情報に基づき対応するソースプレート情報を見つけ、且つ前記ソースプレート情報に基づき第1制御命令を前記ソースプレートに送信することによって、ソースプレートが前記光信号の出力電力を低減することを指示する。このように、本発明の実施例は単一方向経路のシングルエンドAPRプロセスのアクティブ化と非アクティブ化の処理要求を満たすことができ、それによりエンジニアが非対称で且つ単一方向接続された通信経路の光ファイバを修復し、或いはテスターが非対称で且つ単一方向接続された通信経路の光ファイバコネクタの抜き差しテスト操作を行う際に、経路内で光ファイバの破断、光ファイバコネクタの抜き出し等の異常状況の発生によって人の目にもたらした傷害を避けることができる。
【００３６】
一具体的な実施例において、前記ソースプレート11と前記目標プレート12とは同一のサイト内にある。
【００３７】
本発明の実施例の前記ソースプレート11と前記目標プレート12とは同一のサイト内にあるシングルプレートであってもよく、このように、本発明の実施例はサイト内で非対称且つ単一方向経路のシングルエンドAPRプロセスのアクティブ化と非アクティブ化の処理要求を満たすことができ、それによりエンジニアがサイト内の非主光路の光ファイバを修復し、或いはテスターはサイト内非主光路の光ファイバの抜き出しテスト操作を行う際に、経路内で光ファイバの破断、光ファイバコネクタの抜き出し等の異常状況の発生によって人の目にもたらした傷害を避けることができる。
【００３８】
一具体的な実施例において、前記装置はネットワークマネージャ14を更に備え、
前記ネットワークマネージャ14は前記コントローラ13に通信接続され、前記ネットワークマネージャ14と前記コントローラ13との間の接続方式は有線接続であってもよく、例えば通信バスによって接続される。前記ネットワークマネージャ14と前記コントローラ13との間の通信プロトコルはTCP通信プロトコル、UDP通信プロトコルであってもよい。
【００３９】
前記ネットワークマネージャ14は、ユーザが入力したソースプレート情報、目標プレート情報及び光ファイバの接続関係を受信して、ソースプレート情報、目標プレート情報及び光ファイバ接続関係に基づき、ソースプレートと目標プレートの対応関係を生成して、且つ前記ソースプレートと目標プレートの対応関係を前記コントローラ13に送信して記憶する、或いは、ソースプレート情報、目標プレート情報及び光ファイバ接続関係を前記コントローラ13に送信するように設定され、
対応的に、前記コントローラ13は更に、前記ソースプレート情報、前記目標プレート情報及び前記光ファイバ接続関係に基づき、ソースプレートと目標プレートの対応関係を生成するように設定される。
【００４０】
具体的には、ユーザは同時に複数のソースプレート情報、目標プレート情報及び光ファイバの接続関係を入力することができ、例えばユーザが入力したソースプレート情報、目標プレート情報及び光ファイバの接続関係の形式は、ソースプレート1のプレート情報−目標プレート1のプレート情報、ソースプレート2のプレート情報−目標プレート2のプレート情報などであってもよく、ソースプレート1のプレート情報−目標プレート1のプレート情報はソースプレート1と目標プレート1との間に1つの光ファイバ通信経路であることを表す。
【００４１】
上記通信異常を修復した後に、通信を正常状態に回復させる必要がある。
【００４２】
一具体的な実施例において、前記コントローラ13は更に、第3制御命令を前記ソースプレート11に送信し、前記目標プレート12が送信した目標プレート情報を含む通信正常メッセージを受信した後に、且つ前記目標プレート情報に基づき対応するソースプレート情報を見つけた後に、前記ソースプレート情報に基づき第2制御命令を前記ソースプレート11に送信するように設定され、
前記目標プレート12は更に、目標プレート情報を含む通信正常メッセージをコントローラ13に送信するように設定され、
前記ソースプレート11は更に、前記再起動パルス信号を前記目標プレート12に送信して、且つ前記コントローラ13が送信した第2制御命令を受信した後に、正常に光信号を出力するように設定される。
【００４３】
具体的には、前記コントローラ13は第3制御命令を前記ソースプレート12に送信し、前記コントローラ13は自動で間隔的に第3制御命令を前記ソースプレート11に送信することができ、例えば100s又は300sおきに前記ソースプレート11に1回送信することができ、人工で手動によって制御することもでき、例えば、修理者は通信線路を修復し完成した後に、手動的に前記コントローラ13が第3制御命令を前記ソースプレート11に送信することを制御し、前記ソースプレート11は前記再起動パルス信号を受信した後に、それを前記目標プレート12に送信し、前記目標プレート12は目標プレート情報を含む通信正常メッセージをコントローラ13に送信し、
対応的に、前記コントローラ13は前記目標プレート情報に基づき対応するソースプレート情報を見つけ、且つ前記ソースプレート情報に基づき第2制御命令を前記ソースプレート11に送信し、
ここで、第2制御命令は前記ソースプレート11が正常に光信号を出力することを指示するためのものであり、前記ソースプレート11は第2制御命令を受信した後に、正常電力で光信号を出力する。
【００４４】
一具体的な実施例において、前記ネットワークマネージャ14は更に、削除指令を前記コントローラ13に送信し、前記削除指令がソースプレート情報、目標プレート情報、光ファイバ接続関係の中の少なくとも1つを含むように設定され、対応的に、前記コントローラ13は更に、前記削除指令に含まれる情報に基づき、ソースプレートと目標プレートの対応関係を削除するように設定される。
【００４５】
具体的に、前記ソースプレートと前記目標プレートとの間の経路に保護を必要としない、或いはサイト内のソースプレート、目標プレート、光ファイバの接続関係が変化する際に、前記ネットワークマネージャ14は削除指令を前記コントローラ13に送信する。前記削除指令はソースプレート情報、目標プレート情報、光ファイバ接続関係の中の少なくとも1つを含み、前記コントローラ13は前記削除指令に含まれる情報に基づき、ソースプレートと目標プレートの対応関係を削除する。例えば、前記削除指令はソースプレート情報を含む際に、前記コントローラはソースプレート情報に基づき、予め記憶されたソースプレートと目標プレートの対応関係を見つけ、且つ見つけた対応関係を削除する。
【００４６】
上記のAPR保護装置に対して、本発明の実施例はAPR保護方法を更に提供し、以下で、具体的な実施例を使用して本発明の実施例によるAPR保護方法を詳細的に説明する。
【００４７】
図4は本発明の実施例による光信号が異常である際にAPR保護方法の基本的な処理フロー模式図であり、図4に示すように、具体的に以下のステップを含み、
ステップ101、目標プレートは光信号異常を検出した際に、目標プレート情報を含む通信異常メッセージをコントローラに送信し、
光信号異常は光ファイバ破断、光ファイバコネクタの抜き出し又は仮想接続による光信号損失又は光信号損失による弱め等の異常現象を含む。
【００４８】
具体的に、前記目標プレートは光信号を受信した後に、前記光信号の光パワーが正常通信時に受信した光信号の光パワーより小さいか否かを判断し、小さいと、前記目標プレートが受信した光信号は異常であることを確定し、更に前記ソースプレートと前記目標プレートの間の通信経路が異常であると確定すると、前記目標プレートは異常を検出した後に、直ちに目標プレート情報を含む通信異常メッセージをコントローラに送信し、或いは、光信号異常が予め設定された時間閾値例えば500msを超えることを検出した後に、再び目標プレート情報を含む通信異常メッセージをコントローラに送信し、
目標プレート情報は目標プレートアドレス及び/又は目標プレートポートを含む。
【００４９】
ステップ102、前記コントローラは前記目標プレート情報に基づき対応するソースプレート情報を見つけ、且つ前記ソースプレート情報に基づき第1制御命令を前記ソースプレートに送信し、
具体的に、前記コントローラに前記ソースプレートと前記目標プレートの対応関係が予め記憶され、前記ソースプレート情報はソースプレートアドレス及び/又は目標プレートポートを含む。
【００５０】
なお、前記コントローラ13がソースプレート情報と目標プレート情報を管理するのに便利であるために、ソースプレート情報と目標プレート情報とは同一の標準を使用するほうがよく、即ち、ソースプレート情報と目標プレート情報にプレートアドレスのみを含み、又はプレートポートのみを含み、又はプレートアドレスとプレートポートを同時に含むものを採用する。
【００５１】
ここで、第1制御命令は前記ソースプレートが前記光信号の出力電力を低減するように指示するためのものであり、詳細的な説明は上記本発明の実施例によるAPR保護装置における関連叙述を参照して、ここで詳細的に説明しない。
【００５２】
ステップ103、前記ソースプレートは受信した第1制御命令に基づき前記光信号の出力電力を低減する。
【００５３】
本発明の実施例による光信号が異常である際のAPR保護方法は、その技術原理と発生した技術効果は、上記本発明の実施例によるAPR保護装置と類似するため、ここで詳細的に説明しない。
【００５４】
図5は本発明の実施例による光信号が異常である際のAPR保護方法の詳細的な処理フロー模式図であり、図5に示すように、具体的に以下のステップを含み、
ステップ201、前記ネットワークマネージャはユーザが入力したソースプレート情報、目標プレート情報及び光ファイバの接続関係を受信し、
具体的に、ユーザは同時に複数のソースプレート情報、目標プレート情報及び光ファイバの接続関係を入力することができ、例えばユーザが入力したソースプレート情報、目標プレート情報及び光ファイバの接続関係の形式は、ソースプレート1のプレート情報−目標プレート1のプレート情報、ソースプレート2のプレート情報−目標プレート2のプレート情報などであってもよく、ソースプレート1のプレート情報−目標プレート1のプレート情報はソースプレート1と目標プレート1との間に１つの光ファイバ通信経路であるのを表す。
【００５５】
ステップ202、ネットワークマネージャはソースプレート情報、目標プレート情報及び光ファイバ接続関係に基づき、ソースプレートと目標プレートの対応関係を生成して、且つ前記ソースプレートと目標プレートの対応関係を前記コントローラに送信し、
或いは、ネットワークマネージャはソースプレート情報、目標プレート情報及び光ファイバ接続関係を前記コントローラに送信し、前記コントローラは前記ソースプレート情報、前記目標プレート情報及び前記光ファイバ接続関係に基づき、ソースプレートと目標プレートの対応関係を生成する。
【００５６】
ステップ203、前記コントローラは前記ソースプレートと前記目標プレートの対応関係を記憶する。
【００５７】
ステップ204、目標プレートは光信号異常を検出した際に、目標プレート情報を含む通信異常メッセージをコントローラに送信し、
ステップ205、前記コントローラは前記目標プレート情報に基づき対応するソースプレート情報を見つけ、且つ前記ソースプレート情報に基づき第1制御命令を前記ソースプレートに送信し、
ステップ206、前記ソースプレートは前記光信号の出力電力を低減する。
【００５８】
図6は本発明の実施例による異常修復後のAPR保護方法の処理フロー模式図であり、図6に示すように、具体的に以下のステップを含み、
ステップ301、前記コントローラは第3制御命令を前記ソースプレートに送信し、
具体的に、前記コントローラは第3制御命令を前記ソースプレートに送信し、前記コントローラは自動で間隔的に第3制御命令を前記ソースプレート11に送信することができ、例えば100s又は300sおきに前記ソースプレート11に1回送信することができ、人工で手動によって制御することもでき、例えば、修理者は通信線路を修復し完成した後に、手動的に前記コントローラが第3制御命令を前記ソースプレート11に送信することを制御する。
【００５９】
ステップ302、前記ソースプレートは再起動パルス信号を前記目標プレートに送信し、
前記ソースプレートは前記再起動パルス信号を受信し後に、それを前記目標プレートに送信する。
【００６０】
ステップ303、前記目標プレートは目標プレート情報を含む通信正常メッセージをコントローラに送信し、
ステップ304、前記コントローラは前記目標プレート情報に基づき対応するソースプレート情報を見つけ、前記ソースプレート情報に基づき第2制御命令を前記ソースプレートに送信し、
ステップ305、前記ソースプレートは正常に光信号を出力する。
【００６１】
また、前記ソースプレートと前記目標プレートとの間の経路に保護を必要としない、或いはサイト内のソースプレート、目標プレート、光ファイバの接続関係が変化する際に、前記ネットワークマネージャは削除指令を前記コントローラに送信し、前記削除指令はソースプレート情報、目標プレート情報、光ファイバ接続関係の中の少なくとも1つを含み、前記コントローラは前記削除指令に含まれる情報に基づき、ソースプレートと目標プレートの対応関係を削除する。
【００６２】
本発明の実施例はコンピュータ記憶媒体を更に提供し、コンピュータ実行可能な命令が記憶され、前記コンピュータ実行可能な命令は上記のいずれかの実施例に記載の方法を実行することに用いられる。
【００６３】
発明によるいくつかの実施例において、開示した方法及び装置は、その他の方式によって実現されることができることを理解すべきである。以上のような装置実施例は例示的なものだけであり、例えば、前記モジュールの分割は、ロジック機能の分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した各組成部分の互いの間の通信接続はいくつかのインターフェース、装置又はユニットによる間接カップリング又は通信接続であってもよく、電気的、機械的又はその形式の接続であってもよい。
【００６４】
上記の分離部材として説明したユニットは物理的に分離してもよいし、又は物理的に分離しなくてもよく、ユニットとして表示する部材は物理ユニットであってもよいし、又は物理ユニットではなくてもよく、即ち1つの場所に位置してもよいし、複数のネットワークユニットに分布してもよく、実際の需要に応じてその中の一部又は全部のユニットを選択して本実施例手段の目的を実現することができる。
【００６５】
また、本発明の各実施例における各機能ユニットは、全部で1つの処理ユニットに集積されもよいし、各ユニットはそれぞれ単独に1つのユニットとしてもよいし、2つ又は2つ以上のユニットは1つのユニットに集積されてもよく、上記集積したユニットはハードウェアの形式で実現されてもよいし、ハードウェアにソフトウェア機能ユニットを加える形式で実現されてもよい。
【００６６】
当業者は、上記方法実施例の全部又は一部のステップの実現をプログラム指令に関連するハードウェアによって完成することができ、前記プログラムはコンピュータ読み取り可能な記憶媒体に記憶されることができ、プログラムを実行する際に、上記方法実施例を含むステップを実行し、前記記憶媒体は、モバイル記憶装置、読み出し専用メモリ(ROM、Read-Only Memory)或いはランダムアクセスメモリ(Random Access Memory、RAM)等の様々なプログラムコードを記憶できる媒体であることを理解できる。
【００６７】
本発明の実施例はソフトウェア機能モジュールの形式で実現して、且つ独立した製品として販売又は使用する際に、1つのコンピュータの読み取り可能な記憶媒体に記憶されることもできる。このような理解に基づいて、本発明の実施例の技術的解決手段は本質的或いは従来技術に貢献する部分は、ソフトウェア製品の形式で表現することができ、該コンピュータソフトウェア製品が1つの記憶媒体に記憶され、一台のコンピュータ設備(ネットワーク設備等であってもよい)が本発明の各実施例に記載の方法の全部又は一部を実行するための若干の指令を含む。前述の記憶媒体はモバイル記憶装置、ROM、或いはRAM等の様々なプログラムコードを記憶できる媒体である。
本発明は上記実施例のみを例とするが、これに制限されなく、当業者は、依然として前述各実施例に記載の技術的解決手段を修正し、或いはその中の一部或いは全部の技術特徴を等価取り替えることができ、これらの修正或いは取り替えは、対応する技術的解決手段の本質を本発明の各実施例の技術的解決手段の範囲から離脱させないことを理解すべきである。
【図１】
0006388674.tif 000003
【図２】
0006388674.tif 000004
【図３】
0006388674.tif 000005
【図４】
0006388674.tif 000006
【図５】
0006388674.tif 000007
【図６】
0006388674.tif 000008